(57)【要約】【課題】災害時に有用な情報を配信することができ、かつ、通信回線の輻輳を抑制することができる無線基地局装置、情報配信装置、通信システム、通信制御方法および通信制御プログラムを提供する。【解決手段】無線基地局装置１０１は、１または複数の無線端末装置２０２と通信可能な無線基地局装置１０１であって、無線端末装置２０２の通信履歴を取得する通信履歴取得部１６と、無線端末装置２０２の位置情報を取得する位置情報取得部１７と、災害が発生すると、通信履歴取得部１６により取得された通信履歴および位置情報取得部１７により取得された位置情報のうち少なくとも一方を含む端末情報を、複数の無線基地局装置１０１との間で情報の送受信が可能な通信装置１０４へ送信する端末情報送信部１５とを備える。【選択図】図１
2015019218.tif 000002
【特許請求の範囲】
【請求項１】
１または複数の無線端末装置と通信可能な無線基地局装置であって、
前記無線端末装置の通信履歴を取得する通信履歴取得部と、
前記無線端末装置の位置情報を取得する位置情報取得部と、
災害が発生すると、前記通信履歴取得部により取得された前記通信履歴および前記位置情報取得部により取得された前記位置情報のうち少なくとも一方を含む端末情報を、複数の無線基地局装置との間で情報の送受信が可能な通信装置へ送信する端末情報送信部とを備える、無線基地局装置。
【請求項２】
前記無線基地局装置は、さらに、
前記通信履歴取得部により取得された前記通信履歴および前記位置情報取得部により取得された前記位置情報を記憶する記憶部を備え、
前記端末情報送信部は、前記記憶部に記憶されている前記通信履歴および前記位置情報を用いて、災害発生タイミングから所定時間遡ったタイミングから、前記災害発生タイミングまでの間の前記端末情報を送信する、請求項１に記載の無線基地局装置。
【請求項３】
前記通信履歴取得部は、前記端末情報が送信された後、新たに前記通信履歴を取得し、
前記位置情報取得部は、前記端末情報が送信された後、新たに前記位置情報を取得し、
前記端末情報送信部は、前記通信履歴取得部により新たに取得された前記通信履歴、および、前記位置情報取得部により新たに取得された前記位置情報のうち少なくとも一方を含む端末情報を前記通信装置へ送信する、請求項１または請求項２に記載の無線基地局装置。
【請求項４】
前記無線基地局装置は、前記通信装置とネットワークを介して接続され、かつ、自己が位置するエリアにおける災害に関するエリア情報を記憶するローカル記憶装置と接続され、
前記無線基地局装置は、さらに、
災害が発生すると、前記ローカル記憶装置に記憶されている前記エリア情報を取得し、取得した前記エリア情報を前記無線端末装置へ送信するエリア情報送信部を備える、請求項１から請求項３のいずれか１項に記載の無線基地局装置。
【請求項５】
前記エリア情報送信部は、前記エリア情報が更新される毎に、更新後の前記エリア情報を前記無線端末装置へ送信する、請求項４に記載の無線基地局装置。
【請求項６】
前記無線基地局装置は、さらに、
自己の無線基地局装置が送信または受信する複数種類の情報を複数のグループに分類し、分類したグループ毎に優先度を設定し、前記優先度の高いグループに属する情報から優先的に送信または受信が行われるような制御を行う通信制御部を備える、請求項１から請求項５のいずれか１項に記載の無線基地局装置。
【請求項７】
前記通信制御部は、前記制御を行った後に、自己の前記無線基地局装置を介する通信回線の輻輳の度合いが大きくなった場合、自己の前記無線基地局装置が送信または受信する複数種類の情報を、前記制御における分類と比べてさらに細かく分かれた複数のグループに分類し、分類したグループ毎に優先度を新たに設定し、前記優先度の高いグループに属する情報から優先的に送信または受信が行われるような制御を行う、請求項６に記載の無線基地局装置。
【請求項８】
１または複数の無線端末装置と通信可能な無線基地局装置との間で情報の送受信を行う情報配信装置であって、
災害の発生によって前記無線基地局装置から送信される、前記無線端末装置の通信履歴および前記無線端末装置の位置情報のうち少なくとも一方を含む端末情報、を受信する受信部と、
前記受信部が受信した前記端末情報の一部または全部を、前記端末情報を送信した前記無線基地局装置または他の前記無線基地局装置を経由して他の前記無線端末装置へ送信する送信部とを備える、情報配信装置。
【請求項９】
前記情報配信装置は、さらに、
前記端末情報の送信元である前記無線端末装置と、前記端末情報の送信先である前記無線端末装置との対応関係を示す送信先情報に基づいて、前記受信部が受信した前記端末情報の送信先の前記無線端末装置を特定する送信先特定部を備え、
前記送信部は、前記送信先特定部により特定された前記無線端末装置と通信可能な前記無線基地局装置を経由して、特定された前記無線端末装置へ前記端末情報の一部または全部を送信する、請求項８に記載の情報配信装置。
【請求項１０】
１または複数の無線端末装置と通信可能な無線基地局装置と、
複数の前記無線基地局装置との間で情報の送受信を行う情報配信装置とを備え、
前記無線基地局装置は、災害が発生すると、前記無線端末装置の通信履歴および前記無線端末装置の位置情報のうち少なくとも一方を含む端末情報を前記情報配信装置へ送信し、
前記情報配信装置は、前記無線基地局装置から受信した前記端末情報の一部または全部を、前記端末情報を送信した前記無線基地局装置または他の前記無線基地局装置を経由して他の前記無線端末装置へ送信する、通信システム。
【請求項１１】
１または複数の無線端末装置と通信可能な無線基地局装置と、
複数の前記無線基地局装置との間で情報の送受信を行う情報配信装置とを備える通信システムにおける通信制御方法であって、
前記無線基地局装置が、災害が発生すると、前記無線端末装置の通信履歴および前記無線端末装置の位置情報のうち少なくとも一方を含む端末情報を前記情報配信装置へ送信するステップと、
前記情報配信装置が、前記無線基地局装置から受信した前記端末情報の一部または全部を、前記端末情報を送信した前記無線基地局装置または他の前記無線基地局装置を経由して他の前記無線端末装置へ送信するステップとを含む、通信制御方法。
【請求項１２】
１または複数の無線端末装置と通信可能な無線基地局装置において用いられる通信制御プログラムであって、
コンピュータに、
前記無線端末装置の通信履歴および前記無線端末装置の位置情報を取得するステップと、
災害が発生すると、取得した前記通信履歴および前記位置情報のうち少なくとも一方を含む端末情報を、複数の無線基地局装置との間で情報の送受信が可能な通信装置へ送信するステップとを実行させるための、通信制御プログラム。
【請求項１３】
１または複数の無線端末装置と通信可能な無線基地局装置との間で情報の送受信を行う情報配信装置において用いられる通信制御プログラムであって、
コンピュータに、
災害の発生によって前記無線基地局装置から送信される、前記無線基地局装置と通信可能な前記無線端末装置の通信履歴および前記無線端末装置の位置情報の少なくとも一方を含む端末情報、を受信するステップと、
受信した前記端末情報の一部または全部を、１または複数の無線基地局装置を経由して他の前記無線端末装置へ送信するステップとを実行させるための、通信制御プログラム。
【発明の詳細な説明】
【技術分野】
【０００１】
本発明は、無線基地局装置、情報配信装置、通信システム、通信制御方法および通信制御プログラムに関し、特に、災害発生時に災害に関連する情報を送信する無線基地局装置、情報配信装置、通信システム、通信制御方法および通信制御プログラムに関する。
【背景技術】
【０００２】
従来、災害が発生した場合に災害地にいる人の安否情報を家族等へ伝えるための通信システムが提案されている。たとえば、中央処理装置と、複数の基地局および複数の端末装置からなる情報通信システムであって、中央処理装置は、地域毎の災害状況を登録する被災状況データベースと、複数の基地局または複数の端末装置が位置する地区を登録した端末位置情報データベースおよび複数の端末装置の所有者が安否情報を送信する相手を設定する安否情報開示許可データベースを具える。災害発生時に中央処理装置は、被災状況データベースと端末位置情報データベースに基づいて送るべき安否情報の所有者の端末装置を選定し、選定された端末装置の該当地域の安否情報を安否情報開示許可データベースに基づいて安否情報の送信が許可されている相手に送信する情報通信システムが知られている（特許第４６３８７５６号公報（特許文献１）参照）。
【先行技術文献】
【特許文献】
【０００３】
【特許文献１】特許第４６３８７５６号公報
【特許文献２】特開２００７−４３３１０号公報
【特許文献３】特開平１０−３０３９３２号公報
【特許文献４】特開２００４−３２１８６号公報
【発明の概要】
【発明が解決しようとする課題】
【０００４】
しかしながら、上述した特許文献１に記載の情報通信システムでは、安否情報として相手に送信される情報は予め指示された避難場所等を示す情報であり、端末装置の所有者が実際にこの避難場所に避難しているか否かを示す情報は相手に送信されない。このため、当該相手は、端末装置の所有者の実際の行動を知ることができない虞がある。
【０００５】
一方、端末装置の所有者が自身の行動を端末装置に入力して安否情報として相手に送信する場合、災害発生から安否情報の送信までに時間がかかり、その間に当該相手が安否状況の確認のための電話等をかける可能性が高くなる。このため、通信回線の輻輳を招き、安否情報の送信自体ができない虞がある。
【０００６】
この発明は、上述の課題を解決するためになされたもので、その目的は、災害時に有用な情報を配信することができ、かつ、通信回線の輻輳を抑制することができる無線基地局装置、情報配信装置、通信システム、通信制御方法および通信制御プログラムを提供することである。
【課題を解決するための手段】
【０００７】
上記課題を解決するために、この発明のある局面に係る無線基地局装置は、１または複数の無線端末装置と通信可能な無線基地局装置であって、前記無線端末装置の通信履歴を取得する通信履歴取得部と、前記無線端末装置の位置情報を取得する位置情報取得部と、災害が発生すると、前記通信履歴取得部により取得された前記通信履歴および前記位置情報取得部により取得された前記位置情報のうち少なくとも一方を含む端末情報を、複数の無線基地局装置との間で情報の送受信が可能な通信装置へ送信する端末情報送信部とを備える。
【０００８】
上記課題を解決するために、この発明のある局面に係る情報配信装置は、１または複数の無線端末装置と通信可能な無線基地局装置との間で情報の送受信を行う情報配信装置であって、災害の発生によって前記無線基地局装置から送信される、前記無線端末装置の通信履歴および前記無線端末装置の位置情報のうち少なくとも一方を含む端末情報、を受信する受信部と、前記受信部が受信した前記端末情報の一部または全部を、前記端末情報を送信した前記無線基地局装置または他の前記無線基地局装置を経由して他の前記無線端末装置へ送信する送信部とを備える。
【０００９】
上記課題を解決するために、この発明のある局面に係る通信システムは、１または複数の無線端末装置と通信可能な無線基地局装置と、複数の前記無線基地局装置との間で情報の送受信を行う情報配信装置とを備え、前記無線基地局装置は、災害が発生すると、前記無線端末装置の通信履歴および前記無線端末装置の位置情報のうち少なくとも一方を含む端末情報を前記情報配信装置へ送信し、前記情報配信装置は、前記無線基地局装置から受信した前記端末情報の一部または全部を、前記端末情報を送信した前記無線基地局装置または他の前記無線基地局装置を経由して他の前記無線端末装置へ送信する。
【００１０】
上記課題を解決するために、この発明のある局面に係る通信制御方法は、１または複数の無線端末装置と通信可能な無線基地局装置と、複数の前記無線基地局装置との間で情報の送受信を行う情報配信装置とを備える通信システムにおける通信制御方法であって、前記無線基地局装置が、災害が発生すると、前記無線端末装置の通信履歴および前記無線端末装置の位置情報のうち少なくとも一方を含む端末情報を前記情報配信装置へ送信するステップと、前記情報配信装置が、前記無線基地局装置から受信した前記端末情報の一部または全部を、前記端末情報を送信した前記無線基地局装置または他の前記無線基地局装置を経由して他の前記無線端末装置へ送信するステップとを含む。
【００１１】
上記課題を解決するために、この発明のある局面に係る通信制御プログラムは、１または複数の無線端末装置と通信可能な無線基地局装置において用いられる通信制御プログラムであって、コンピュータに、前記無線端末装置の通信履歴および前記無線端末装置の位置情報を取得するステップと、災害が発生すると、取得した前記通信履歴および前記位置情報のうち少なくとも一方を含む端末情報を、複数の無線基地局装置との間で情報の送受信が可能な通信装置へ送信するステップとを実行させるためのプログラムである。
【００１２】
上記課題を解決するために、この発明の他の局面に係る通信制御プログラムは、１または複数の無線端末装置と通信可能な無線基地局装置との間で情報の送受信を行う情報配信装置において用いられる通信制御プログラムであって、コンピュータに、災害の発生によって前記無線基地局装置から送信される、前記無線基地局装置と通信可能な前記無線端末装置の通信履歴および前記無線端末装置の位置情報の少なくとも一方を含む端末情報、を受信するステップと、受信した前記端末情報の一部または全部を、１または複数の無線基地局装置を経由して他の前記無線端末装置へ送信するステップとを実行させるためのプログラムである。
【発明の効果】
【００１３】
本発明によれば、災害時に有用な情報を配信することができ、かつ、通信回線の輻輳を抑制することができる。
【図面の簡単な説明】
【００１４】
【図１】図１は、本発明の実施の形態に係る通信システムの構成を示す図である。
【図２】図２は、本発明の実施の形態に係る通信システムにおける無線基地局装置の構成を示す図である。
【図３】図３は、本発明の実施の形態に係る通信システムにおける情報配信装置の構成を示す図である。
【図４】図４は、本発明の実施の形態に係る通信システムの無線基地局装置における通信制御部および情報配信装置における通信制御部による、優先度の設定パターンを説明するための図である。
【図５】図５は、本発明の実施の形態に係る通信システムによる端末情報の送信動作の手順を定めたシーケンス図である。
【図６】図６は、本発明の実施の形態に係る通信システムによるエリア情報の送信動作の手順を定めたシーケンス図である。
【図７】図７は、本発明の実施の形態に係る通信システムの無線基地局装置における通信制御部および情報配信装置における通信制御部による、優先度の設定および情報の送受信の制御の動作手順を定めたフロー図である。
【発明を実施するための形態】
【００１５】
最初に、本発明の実施形態の内容を列記して説明する。
【００１６】
（１）本発明の実施の形態に係る無線基地局装置は、１または複数の無線端末装置と通信可能な無線基地局装置であって、前記無線端末装置の通信履歴を取得する通信履歴取得部と、前記無線端末装置の位置情報を取得する位置情報取得部と、災害が発生すると、前記通信履歴取得部により取得された前記通信履歴および前記位置情報取得部により取得された前記位置情報のうち少なくとも一方を含む端末情報を、複数の無線基地局装置との間で情報の送受信が可能な通信装置へ送信する端末情報送信部とを備える。
【００１７】
このように、災害が発生すると、無線基地局装置から端末情報が自動的に送信される構成により、利用者が自身の行動を無線端末装置に入力して送信するよりも早く、当該利用者の実際の行動を示す情報を通信装置および無線基地局装置経由で他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００１８】
また、利用者が自身の行動を無線端末装置に入力して送信する必要がないため、当該利用者が無線端末装置を操作できない状況であっても、当該利用者の実際の行動を示す情報を他者へ通知することができる。
【００１９】
（２）好ましくは、前記無線基地局装置は、さらに、前記通信履歴取得部により取得された前記通信履歴および前記位置情報取得部により取得された前記位置情報を記憶する記憶部を備え、前記端末情報送信部は、前記記憶部に記憶されている前記通信履歴および前記位置情報を用いて、災害発生タイミングから所定時間遡ったタイミングから、前記災害発生タイミングまでの間の前記端末情報を送信する。
【００２０】
このように、予め記憶されている情報を用いた端末情報が送信される構成により、災害発生後すぐに端末情報の送信を行うことができ、通信回線の輻輳を一層抑制することができる。また、災害発生後に無線端末装置が故障した場合など無線端末装置の通信履歴および位置情報を取得できない状況であっても、災害発生前の利用者の居場所など、利用者の安否を知るための有用な情報を他者へ通知することができる。
【００２１】
（３）好ましくは、前記通信履歴取得部は、前記端末情報が送信された後、新たに前記通信履歴を取得し、前記位置情報取得部は、前記端末情報が送信された後、新たに前記位置情報を取得し、前記端末情報送信部は、前記通信履歴取得部により新たに取得された前記通信履歴、および、前記位置情報取得部により新たに取得された前記位置情報のうち少なくとも一方を含む端末情報を前記通信装置へ送信する。
【００２２】
このような構成により、災害発生後の利用者の移動先など、利用者の行動に基づく最新の情報を他者へ通知することができる。また、異なる時刻の端末情報が複数回送信されることにより、利用者の行動に関する時系列的な情報を他者へ通知することができる。
【００２３】
（４）好ましくは、前記無線基地局装置は、前記通信装置とネットワークを介して接続され、かつ、自己が位置するエリアにおける災害に関するエリア情報を記憶するローカル記憶装置と接続され、前記無線基地局装置は、さらに、災害が発生すると、前記ローカル記憶装置に記憶されている前記エリア情報を取得し、取得した前記エリア情報を前記無線端末装置へ送信するエリア情報送信部を備える。
【００２４】
このように、被災地におけるエリア情報が自動的に送信されることにより、利用者が自らエリア情報を取得するための操作を行うよりも早く、安全な避難場所等を示す情報を当該利用者へ提供することができる。
【００２５】
また、上記のように、無線基地局装置は、ネットワークを介することなく接続されたローカルデータベースからエリア情報を取得して、取得したエリア情報を無線端末装置へ送信する構成であるため、ネットワークを経由する通信回線の輻輳の影響を受けることなくエリア情報を良好に送信することができ、かつ、ネットワークを経由する通信回線の輻輳を抑制することができる。
【００２６】
（５）好ましくは、前記エリア情報送信部は、前記エリア情報が更新される毎に、更新後の前記エリア情報を前記無線端末装置へ送信する。
【００２７】
このような構成により、最新のエリア情報を利用者へ提供することができるため、利用者が災害状況に応じてより安全な避難場所へ移動するなどの適切な行動を選択することができる。
【００２８】
（６）好ましくは、前記無線基地局装置は、さらに、自己の無線基地局装置が送信または受信する複数種類の情報を複数のグループに分類し、分類したグループ毎に優先度を設定し、前記優先度の高いグループに属する情報から優先的に送信または受信が行われるような制御を行う通信制御部を備える。
【００２９】
このような構成により、必要性の高い情報が確実に通知される確率を高めることができる。
【００３０】
（７）好ましくは、前記通信制御部は、前記制御を行った後に、自己の前記無線基地局装置を介する通信回線の輻輳の度合いが大きくなった場合、自己の前記無線基地局装置が送信または受信する複数種類の情報を、前記制御における分類と比べてさらに細かく分かれた複数のグループに分類し、分類したグループ毎に優先度を新たに設定し、前記優先度の高いグループに属する情報から優先的に送信または受信が行われるような制御を行う。
【００３１】
このような構成により、輻輳の度合いが悪化している場合であっても、情報をより細かく分類して優先度を設定することにより、必要性の高い情報が確実に通知される確率を高めることができる。
【００３２】
（８）上記課題を解決するために、この発明のある局面に係る情報配信装置は、１または複数の無線端末装置と通信可能な無線基地局装置との間で情報の送受信を行う情報配信装置であって、災害の発生によって前記無線基地局装置から送信される、前記無線端末装置の通信履歴および前記無線端末装置の位置情報のうち少なくとも一方を含む端末情報、を受信する受信部と、前記受信部が受信した前記端末情報の一部または全部を、前記端末情報を送信した前記無線基地局装置または他の前記無線基地局装置を経由して他の前記無線端末装置へ送信する送信部とを備える。
【００３３】
このように、災害が発生すると、無線基地局装置から送信された端末情報が情報配信装置を介して無線端末装置へ自動的に送信される構成により、利用者が自身の行動を無線端末装置に入力して送信するよりも早く、当該利用者の実際の行動を示す情報を他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００３４】
また、利用者が自身の行動を無線端末装置に入力して送信する必要がないため、当該利用者が無線端末装置を操作できない状況であっても、当該利用者の実際の行動を示す情報を他者へ通知することができる。さらに、情報配信装置が、広範囲に亘る複数の無線基地局装置から端末情報を受信し、また、広範囲に亘る無線基地局装置を端末情報の送信先とすることが可能であるため、広範な情報配信サービスを提供することができる。
【００３５】
（９）好ましくは、前記情報配信装置は、さらに、前記端末情報の送信元である前記無線端末装置と、前記端末情報の送信先である前記無線端末装置との対応関係を示す送信先情報に基づいて、前記受信部が受信した前記端末情報の送信先の前記無線端末装置を特定する送信先特定部を備え、前記送信部は、前記送信先特定部により特定された前記無線端末装置と通信可能な前記無線基地局装置を経由して、特定された前記無線端末装置へ前記端末情報の一部または全部を送信する。
【００３６】
このように、予め登録された無線端末装置へ端末情報の一部または全部が送信される構成により、端末情報の不要な送信を防ぎ、通信回線の輻輳を一層抑制することができる。
【００３７】
（１０）上記課題を解決するために、この発明のある局面に係る通信システムは、１または複数の無線端末装置と通信可能な無線基地局装置と、複数の前記無線基地局装置との間で情報の送受信を行う情報配信装置とを備え、前記無線基地局装置は、災害が発生すると、前記無線端末装置の通信履歴および前記無線端末装置の位置情報のうち少なくとも一方を含む端末情報を前記情報配信装置へ送信し、前記情報配信装置は、前記無線基地局装置から受信した前記端末情報の一部または全部を、前記端末情報を送信した前記無線基地局装置または他の前記無線基地局装置を経由して他の前記無線端末装置へ送信する。
【００３８】
このように、災害が発生すると、無線基地局装置から端末情報が自動的に送信される構成により、利用者が自身の行動を無線端末装置に入力して送信するよりも早く、当該利用者の実際の行動を示す情報を他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００３９】
また、利用者が自身の行動を無線端末装置に入力して送信する必要がないため、当該利用者が無線端末装置を操作できない状況であっても、当該利用者の実際の行動を示す情報を他者へ通知することができる。
【００４０】
（１１）上記課題を解決するために、この発明のある局面に係る通信制御方法は、１または複数の無線端末装置と通信可能な無線基地局装置と、複数の前記無線基地局装置との間で情報の送受信を行う情報配信装置とを備える通信システムにおける通信制御方法であって、前記無線基地局装置が、災害が発生すると、前記無線端末装置の通信履歴および前記無線端末装置の位置情報のうち少なくとも一方を含む端末情報を前記情報配信装置へ送信するステップと、前記情報配信装置が、前記無線基地局装置から受信した前記端末情報の一部または全部を、前記端末情報を送信した前記無線基地局装置または他の前記無線基地局装置を経由して他の前記無線端末装置へ送信するステップとを含む。
【００４１】
このように、災害が発生すると、無線基地局装置から端末情報が自動的に送信されることにより、利用者が自身の行動を無線端末装置に入力して送信するよりも早く、当該利用者の実際の行動を示す情報を他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００４２】
また、利用者が自身の行動を無線端末装置に入力して送信する必要がないため、当該利用者が無線端末装置を操作できない状況であっても、当該利用者の実際の行動を示す情報を他者へ通知することができる。
【００４３】
（１２）上記課題を解決するために、この発明のある局面に係る通信制御プログラムは、１または複数の無線端末装置と通信可能な無線基地局装置において用いられる通信制御プログラムであって、コンピュータに、前記無線端末装置の通信履歴および前記無線端末装置の位置情報を取得するステップと、災害が発生すると、取得した前記通信履歴および前記位置情報のうち少なくとも一方を含む端末情報を、複数の無線基地局装置との間で情報の送受信が可能な通信装置へ送信するステップとを実行させるためのプログラムである。
【００４４】
このように、災害が発生すると、無線基地局装置から端末情報が自動的に送信される構成により、利用者が自身の行動を無線端末装置に入力して送信するよりも早く、当該利用者の実際の行動を示す情報を通信装置および無線基地局装置経由で他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００４５】
また、利用者が自身の行動を無線端末装置に入力して送信する必要がないため、当該利用者が無線端末装置を操作できない状況であっても、当該利用者の実際の行動を示す情報を他者へ通知することができる。
【００４６】
（１３）上記課題を解決するために、この発明のある局面に係る通信制御プログラムは、１または複数の無線端末装置と通信可能な無線基地局装置との間で情報の送受信を行う情報配信装置において用いられる通信制御プログラムであって、コンピュータに、災害の発生によって前記無線基地局装置から送信される、前記無線基地局装置と通信可能な前記無線端末装置の通信履歴および前記無線端末装置の位置情報の少なくとも一方を含む端末情報、を受信するステップと、受信した前記端末情報の一部または全部を、１または複数の無線基地局装置を経由して他の前記無線端末装置へ送信するステップとを実行させるためのプログラムである。
【００４７】
このように、災害が発生すると、無線基地局装置から送信された端末情報が情報配信装置を介して無線端末装置へ自動的に送信されることにより、利用者が自身の行動を無線端末装置に入力して送信するよりも早く、当該利用者の実際の行動を示す情報を他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【００４８】
また、利用者が自身の行動を無線端末装置に入力して送信する必要がないため、当該利用者が無線端末装置を操作できない状況であっても、当該利用者の実際の行動を示す情報を他者へ通知することができる。さらに、情報配信装置が、広範囲に亘る複数の無線基地局装置からそれぞれ送信される端末情報の受信、および、広範囲に亘る複数の無線基地局への端末情報の送信を行うことが可能であるため、利用者の行動に関する情報を、当該利用者から遠く離れた他者へ通知することができる。
【００４９】
以下、本発明の実施の形態について図面を用いて説明する。なお、図中同一または相当部分には同一符号を付してその説明は繰り返さない。
【００５０】
［全体構成および基本動作］
図１は、本発明の実施の形態に係る通信システムの構成を示す図である。
【００５１】
図１を参照して、本発明の実施の形態に係る通信システム３０１は、たとえば、３ＧＰＰ(Third Generation Partnership Project)で規格化されたＬＴＥ（Long Term Evolution）に従う移動体通信システム、ＩＥＥＥ８０２．１１で規格化された無線ＬＡＮシステム、または、このような複数種類の通信方式が混在したシステムである。通信システム３０１は、１または複数の無線端末装置２０２と、１または複数の無線基地局装置１０１と、データベース管理装置１０２と、ローカルデータベース（ローカル記憶装置）１０３と、情報配信装置（通信装置）１０４とを備える。なお、無線端末装置２０２は、通信システム３０１に含まれていなくても良い。
【００５２】
無線端末装置２０２は、ＬＴＥ方式または無線ＬＡＮ方式に従って無線通信を行うことにより、無線基地局装置１０１と通信を行い、また、無線基地局装置１０１およびネットワーク１５１を介して情報配信装置１０４と通信を行うことが可能である。
【００５３】
無線基地局装置１０１は、たとえばＬＴＥ基地局、無線ＬＡＮのアクセスポイントまたはゲートウェイであり、情報配信装置１０４とネットワーク１５１を介して接続されている。無線基地局装置１０１は、たとえば、無線端末装置２０２の識別番号などの情報を管理するデータベースであるＨＬＲ（home location register）を有し、自己を介して行われた無線端末装置２０２の通信履歴を無線端末装置２０２から受信して保持することができる。
【００５４】
なお、無線基地局装置１０１は、自己を介して行われた無線端末装置２０２の通信履歴だけでなく、他の無線基地局装置１０１または他の装置を介して行われた無線端末装置２０２の通信履歴を無線端末装置２０２から受信することも可能である。また、無線基地局装置１０１は、無線端末装置２０２から通信履歴を受信せずに、自己を介して行われた無線端末装置２０２の通信履歴を直接保持しておくことも可能である。
【００５５】
また、無線基地局装置１０１は、自己と通信可能な１または複数の無線端末装置２０２（以下、「配下の各無線端末装置２０２」とも称する）の位置情報を取得する。
【００５６】
また、無線基地局装置１０１は、図示しない災害管理システム等から災害が発生したことを示す災害情報をネットワーク１５１経由で受信する。この災害情報は、たとえば、災害管理システムの管理者により災害が発生したと判断された場合、または、災害管理システム自身により災害が発生したと判断された場合に送信される。
【００５７】
無線基地局装置１０１は、災害情報を受信すると、無線端末装置２０２の通信履歴および無線端末装置２０２の位置情報のうち少なくとも一方を含む端末情報を生成し、生成した端末情報を、ネットワーク１５１を介して情報配信装置１０４へ送信する。なお、無線基地局装置１０１自身が災害の発生を検知する機能を有していても良い。
【００５８】
情報配信装置１０４は、ネットワーク１５１を介して複数の無線基地局装置１０１と通信を行うことが可能である。情報配信装置１０４は、無線基地局装置１０１から端末情報を受信すると、受信した端末情報を、当該端末情報を送信した無線基地局装置１０１または他の無線基地局装置１０１へ送信する。
【００５９】
詳細には、情報配信装置１０４は、端末情報の送信元である無線端末装置２０２と、当該端末情報の送信先である１または複数の無線端末装置２０２との対応関係を示す送信先情報を予め記憶する。なお、端末情報の送信元である無線端末装置２０２とは、端末情報の生成に用いられる通信履歴および位置情報の送信元である無線端末装置２０２である。
【００６０】
たとえば、送信先情報では、端末情報の送信元である無線端末装置２０２の識別情報と、当該端末情報の送信先である１または複数の無線端末装置２０２の識別情報とが対応づけられている。また、無線基地局装置１０１から送信される端末情報には、当該端末情報の送信元である無線端末装置２０２の識別情報が含まれている。
【００６１】
そして、情報配信装置１０４は、無線基地局装置１０１から端末情報を受信すると、受信した端末情報に含まれている識別情報、すなわち当該端末情報の送信元である無線端末装置２０２の識別情報を抽出する。そして、情報配信装置１０４は、抽出した識別情報に基づいて、当該端末情報の送信元である無線端末装置２０２と対応づけられている１または複数の無線端末装置２０２を、当該端末情報の送信先として特定する。そして、情報配信装置１０４は、送信先である無線端末装置２０２と通信可能な無線基地局装置１０１へ当該端末情報を送信する。そして、無線基地局装置１０１は、情報配信装置１０４から受信した端末情報を、情報配信装置１０４により送信先として特定された無線端末装置２０２へ送信する。
【００６２】
また、無線基地局装置１０１は、専用回線等によりデータベース管理装置１０２と接続されている。さらに、無線基地局装置１０１は、データベース管理装置１０２を介して、自己が位置するエリアにおける災害に関するエリア情報を記憶するローカルデータベース１０３と接続されている。
【００６３】
無線基地局装置１０１は、災害管理システム等から災害情報を受信すると、受信した災害情報をデータベース管理装置１０２へ送信する。データベース管理装置１０２は、無線基地局装置１０１から災害情報を受信すると、ローカルデータベース１０３に記憶されているエリア情報を取得する。
【００６４】
エリア情報には、たとえば、避難所の情報、危険物または毒物が位置する場所の情報、災害が発生したエリアをカメラ等により撮像した画像、および、地震の規模または津波の高さなど被害の状況を示す情報などが含まれる。このようなエリア情報は、たとえば、自治体が管理する図示しない更新システム等により、災害発生の有無に関わらず、定期的または不定期に更新される。
【００６５】
データベース管理装置１０２は、ローカルデータベース１０３に記憶されているエリア情報を取得すると、エリア情報の配信要求を生成し、エリア情報および配信要求を無線基地局装置１０１へ送信する。
【００６６】
無線基地局装置１０１は、データベース管理装置１０２からエリア情報および配信要求を受信すると、受信したエリア情報を無線端末装置２０２へ送信する。なお、無線基地局装置１０１が、データベース管理装置１０２を備えていてもよい。
【００６７】
［無線基地局装置の構成］
図２は、本発明の実施の形態に係る通信システムにおける無線基地局装置の構成を示す図である。
【００６８】
図２を参照して、無線基地局装置１０１は、無線受信部１１と、無線送信部１２と、情報処理部１３と、通信制御部１４とを含む。また、情報処理部１３は、端末情報送信部１５と、通信履歴取得部１６と、位置情報取得部１７と、記憶部１８と、エリア情報送信部１９とを有する。
【００６９】
（無線受信部、無線送信部および情報処理部）
無線受信部１１は、無線端末装置２０２から送信された無線信号を受信し、受信した無線信号をベースバンド信号またはＩＦ（Intermediate Frequency）信号に周波数変換し、この周波数変換した信号をデジタル信号に変換して情報処理部１３へ出力する。
【００７０】
情報処理部１３は、無線受信部１１から受けたデジタル信号に対して所定の通信方式に対応した信号処理を行ない、この信号処理後のデジタル信号の一部または全部を所定のフレームフォーマットに変換してネットワーク１５１側へ送信する。
【００７１】
また、情報処理部１３は、ネットワーク１５１側から受信した通信データを所定のフレームフォーマットに変換した通信データまたは自ら生成した通信データに対して所定の通信方式に対応した信号処理を行ない、この信号処理後のデジタル信号を無線送信部１２へ出力する。
【００７２】
また、情報処理部１３は、たとえばネットワーク１５１経由で災害管理システム等から災害情報を受信すると、自己の無線基地局装置１０１の配下の各無線端末装置２０２から受信した通信履歴および位置情報に基づいて端末情報を生成し、生成した端末情報をネットワーク１５１側へ送信する。なお、情報処理部１３の詳細については、後述する。
【００７３】
無線送信部１２は、情報処理部１３から受けたデジタル信号をアナログ信号に変換し、変換したアナログ信号を無線信号に周波数変換して無線端末装置２０２へ送信する。
【００７４】
（端末情報送信部、通信履歴取得部、位置情報取得部および記憶部）
情報処理部１３において、通信履歴取得部１６は、自己の無線基地局装置１０１を介して行われた無線端末装置２０２の通信履歴を例えば定期的に取得し、取得した通信履歴を記憶部１８に保存する。
【００７５】
位置情報取得部１７は、自己の無線基地局装置１０１の配下の各無線端末装置２０２の位置情報を例えば定期的に取得し、取得した位置情報を記憶部１８に保存する。
【００７６】
端末情報送信部１５は、災害管理システム等から災害情報を受信する。ここでは、たとえば、端末情報送信部１５は、災害が発生したタイミング（以下、「災害発生タイミング」と称する）とほぼ同時刻に災害情報を受信し、受信したタイミングを災害発生タイミングとする。そして、端末情報送信部１５は、災害情報を受信すると、災害発生タイミングから所定時間遡ったタイミングから、当該災害発生タイミングまでの間の通信履歴および位置情報を記憶部１８から取得する。
【００７７】
たとえば、端末情報送信部１５は、災害発生タイミングの３０分前から、当該災害発生タイミングまでの期間に記憶部１８に保存された通信履歴および位置情報を取得する。
【００７８】
なお、通信履歴取得部１６により取得された通信履歴、および、位置情報取得部１７により取得された位置情報には、それぞれ取得された時刻を示す時刻情報が含まれていても良い。この場合、端末情報送信部１５は、当該時刻情報を用いて、記憶部１８に記憶されている通信履歴および位置情報のうち、災害発生タイミングの３０分前から当該災害発生タイミングまでの期間に取得された通信履歴および位置情報を選択して、記憶部１８から取得することができる。
【００７９】
また、災害情報には、災害発生時刻が含まれていても良い。この場合、端末情報送信部１５は、災害情報に含まれる災害発生時刻に対応する災害発生タイミングから所定時間遡ったタイミングから、当該災害発生タイミングまでの間に記憶部１８に保存された通信履歴および位置情報を記憶部１８から取得することができる。
【００８０】
そして、端末情報送信部１５は、記憶部１８から取得した通信履歴および位置情報を用いて、これら通信履歴および位置情報を含む端末情報を生成し、生成した端末情報を、ネットワーク１５１を介して情報配信装置１０４へ送信する。なお、端末情報送信部１５は、通信履歴および位置情報のうちいずれか一方を含む端末情報を生成する構成であってもよい。
【００８１】
また、端末情報送信部１５は、災害発生タイミングから例えば１０分間などの所定時間が経過すると、災害発生タイミングから当該所定時間が経過するまでの間に新たに記憶部１８に保存された通信履歴および位置情報を取得する。そして、端末情報送信部１５は、新たに取得した通信履歴および位置情報を含む端末情報を生成し、生成した端末情報を、ネットワーク１５１を介して情報配信装置１０４へ送信する。
【００８２】
そして、端末情報送信部１５は、上記所定時間が経過するたびに、未送信の通信履歴および位置情報を記憶部１８から新たに取得し、取得した通信履歴および位置情報を含む端末情報を送信する。
【００８３】
また、端末情報送信部１５は、災害管理システム等から端末情報の配信終了指示を受信する。この配信終了指示は、たとえば、災害管理システムの管理者により、災害が収束して平常時に近い状況になったと判断された場合、または、災害管理システム自身により災害が収束して平常時に近い状況になったと判断された場合に、災害管理システムから送信される。なお、このような配信終了指示は、災害管理システム等が情報配信装置１０４へ送信し、情報配信装置１０４から各無線基地局装置１０１へ送信されても良い。
【００８４】
そして、端末情報送信部１５は、端末情報の配信終了指示を受信すると、通信履歴および位置情報の取得および端末情報の送信を終了する。
【００８５】
なお、本実施の形態では、端末情報送信部１５は、所定時間が経過するたびに端末情報を送信するが、このような構成に限らず、端末情報送信部１５は、不定期に端末情報を送信しても良い。
【００８６】
（エリア情報送信部）
エリア情報送信部１９は、災害管理システム等から災害情報を受信する。そして、エリア情報送信部１９は、災害情報を受信すると、受信した災害情報をデータベース管理装置１０２へ送信する。
【００８７】
データベース管理装置１０２は、エリア情報送信部１９から災害情報を受信すると、ローカルデータベース１０３に記憶されているエリア情報を取得し、エリア情報の配信要求を生成する。そして、データベース管理装置１０２は、エリア情報および配信要求を、エリア情報送信部１９へ送信する。そして、エリア情報送信部１９は、データベース管理装置１０２からエリア情報および配信要求を受信すると、受信したエリア情報を、無線送信部１２を介して自己の無線基地局装置１０１の配下の各無線端末装置２０２へ送信する。
【００８８】
また、エリア情報送信部１９は、ローカルデータベース１０３に記憶されているエリア情報が図示しない更新システム等により更新されると、更新後のエリア情報をデータベース管理装置１０２から受信する。たとえば、災害発生時と比較して被害状況に変化があった場合などには、自治体等における更新システムの管理者が最新の被害情報を示す情報等を更新システムに入力する。そして、更新システムは、入力された情報に基づいて、ローカルデータベース１０３に記憶されているエリア情報を更新することができる。
【００８９】
そして、エリア情報送信部１９は、データベース管理装置１０２から新たなエリア情報を受信すると、受信したエリア情報を、無線送信部１２を介して１または複数の無線端末装置２０２へ送信する。
【００９０】
また、データベース管理装置１０２は、更新システム等からエリア情報の配信終了指示を受信する。このエリア情報の配信終了指示は、例えば、更新システムの管理者により災害が収束して平常時に近い状況になったと判断された場合、または、更新システム自身により災害が収束して平常時に近い状況になったと判断された場合に、更新システムから送信される。
【００９１】
そして、データベース管理装置１０２は、エリア情報の配信終了指示を受信すると、エリア情報送信部１９へのエリア情報の送信を終了する。
【００９２】
なお、データベース管理装置１０２は、更新システムに限らず、たとえば無線基地局装置１０１からエリア情報の配信終了指示を受信することも可能である。具体的には、無線基地局装置１０１のエリア情報送信部１９は、自己の無線基地局装置１０１の端末情報送信部１５が災害管理システム等から端末情報の配信終了指示を受信した場合などに、エリア情報の配信終了指示をデータベース管理装置１０２へ送信することができる。そして、この場合も同様に、データベース管理装置１０２は、エリア情報の配信終了指示を受信すると、エリア情報送信部１９へのエリア情報の送信を終了する。
【００９３】
（通信制御部）
通信制御部１４は、自己の無線基地局装置１０１が送信または受信する複数種類の情報を複数のグループに分類し、分類したグループ毎に優先度を設定する。複数種類の情報の中には、端末情報、エリア情報、災害情報および利用者の手入力による安否情報など、災害に関連する災害関連情報と、災害に関連しないその他の情報とが含まれる。
【００９４】
具体的には、通信制御部１４は、自己の無線基地局装置１０１が送信または受信する複数種類の情報を、災害関連情報が属するグループと、その他の情報が属するグループとに分類し、災害関連情報が属するグループに対して、その他の情報が属するグループよりも高い優先度を設定する。
【００９５】
そして、通信制御部１４は、設定した優先度が高いグループに属する情報が優先的に送信または受信されるように、情報処理部１３の制御を行う。
【００９６】
［情報配信装置の構成］
図３は、本発明の実施の形態に係る通信システムにおける情報配信装置の構成を示す図である。
【００９７】
図３を参照して、情報配信装置１０４は、通信部２１と、情報処理部２２と、通信制御部２３とを含む。通信部２１は、受信部２４と、送信部２５とを有する。情報処理部２２は、送信先特定部２６と、送信先記憶部２７とを有する。
【００９８】
通信部２１において、受信部２４は、無線基地局装置１０１から送信された情報、具体的には、無線基地局装置１０１から送信される端末情報をネットワーク１５１経由で受信し、受信した端末情報を情報処理部２２へ出力する。
【００９９】
情報処理部２２において、送信先記憶部２７は、無線端末装置２０２と、当該無線端末装置２０２の端末情報の送信先である１または複数の他の無線端末装置２０２との対応関係を示す送信先情報を記憶する。
【０１００】
たとえば、送信先情報には、家族同士である複数の人間がそれぞれ所有する無線端末装置２０２同士、または、職場が同じである複数の人間がそれぞれ所有する無線端末装置２０２同士が、互いに端末情報の送信先として対応づけられている。
【０１０１】
送信先特定部２６は、受信部２４から端末情報を受けると、たとえば、当該端末情報に含まれる識別情報、すなわち当該端末情報の送信元である無線端末装置２０２を示す識別情報を抽出する。そして、送信先特定部２６は、送信先記憶部２７に記憶されている送信先情報を参照して、抽出した識別情報が示す無線端末装置２０２と対応づけられている１または複数の無線端末装置２０２を、当該端末情報の送信先として特定する。
【０１０２】
送信部２５は、情報処理部２２から端末情報を受けて、情報処理部２２の送信先特定部２６により送信先として特定された無線端末装置２０２と通信可能な無線基地局装置１０１へ、ネットワーク１５１経由で端末情報を送信する。なお、送信部２５は、受信部２４により受信された端末情報の全てを送信するだけでなく、たとえば、端末情報の一部を抽出するなどの加工処理を行った後の情報を無線基地局装置１０１へ送信してもよい。
【０１０３】
通信制御部２３は、無線基地局装置１０１の通信制御部１４と同様に、自己の情報配信装置１０４が送信または受信する複数種類の情報を複数のグループに分類し、分類したグループ毎に優先度を設定する。
【０１０４】
具体的には、通信制御部２３は、自己の情報配信装置１０４が送信または受信する複数種類の情報を、災害関連情報が属するグループと、その他の情報が属するグループとに分類し、災害関連情報が属するグループに対して、その他の情報が属するグループよりも高い優先度を設定する。
【０１０５】
そして、通信制御部２３は、設定した優先度が高いグループに属する情報が優先的に送信または受信されるように、通信部２１の受信部２４および送信部２５の制御を行う。
【０１０６】
［通信制御部による優先度の設定パターン］
図４は、本発明の実施の形態に係る通信システムの無線基地局装置における通信制御部および情報配信装置における通信制御部による、優先度の設定パターンを説明するための図である。
【０１０７】
図２に示す無線基地局装置１０１の通信制御部１４は、自己の無線基地局装置１０１を介する通信回線に輻輳が生じているか否かに応じて、以下に示す複数の設定パターンのうちのいずれかの設定パターンに従って、自己の無線基地局装置１０１が送信または受信する複数種類の情報の分類および優先度の設定を行う。
【０１０８】
また、図３に示す情報配信装置１０４の通信制御部２３は、自己の情報配信装置１０４を介する通信回線に輻輳が生じているか否かに応じて、以下に示す複数の設定パターンのうちのいずれかの設定パターンに従って、自己の情報配信装置１０４が送信または受信する複数種類の情報の分類および優先度の設定を行う。
【０１０９】
たとえば、無線基地局装置１０１の通信制御部１４および情報配信装置１０４の通信制御部２３のうち、一方が複数の設定パターンのうちいずれか１つの設定パターンを選択し、選択した設定パターンを他方へ通知する。これにより、通信制御部１４および通信制御部２３は、同一の設定パターンに従って複数種類の情報の分類および優先度の設定を行う。
【０１１０】
（設定パターン１）
図４（ａ）を参照して、通信制御部１４，２３は、まず、複数種類の情報を、災害関連情報が属するグループＡと、その他の情報が属するグループＢとに分類し、グループＡに対して、グループＢよりも高い優先度を設定する。
【０１１１】
そして、通信制御部１４は、グループＡに属する情報すなわち災害関連情報が、その他の情報よりも優先的に送信または受信されるように、情報処理部１３の制御を行う。また、通信制御部２３は、グループＡに属する災害関連情報が、その他の情報よりも優先的に送信または受信されるように、通信部２１の制御を行う。
【０１１２】
たとえば、通信制御部１４は、送信可能な複数の情報が自己の無線基地局装置１０１に存在している場合、これら複数の情報のうち優先度の高いグループに属する情報から先に送信されるように情報処理部１３を制御する。また、通信制御部１４は、自己の無線基地局装置１０１に複数の情報が到着している場合、これら複数の情報のうち優先度の高いグループに属する情報から先に解析処理等が行われるように情報処理部１３を制御する。
【０１１３】
（設定パターン２）
また、通信制御部１４，２３は、図４（ａ）に示す設定パターン１に従った情報の分類および優先度の設定を行った後、通信回線の輻輳の度合いが大きくなったか否かを判断する。たとえば、通信制御部１４は、自己の無線基地局装置１０１と、配下の各無線端末装置２０２との間の通信回線、および、自己の無線基地局装置１０１と、情報配信装置１０４との間の通信回線の輻輳の度合いが大きくなったか否かを判断する。また、通信制御部２３は、自己の情報配信装置１０４と、複数の無線基地局装置１０１との間の各通信回線の輻輳の度合いが大きくなったか否かを判断する。
【０１１４】
そして、通信制御部１４，２３は、通信回線の輻輳の度合いが大きくなったと判断した場合、グループＡに属する災害関連情報を、さらに細かく分かれた複数のグループに分類する。
【０１１５】
すなわち、図４（ｂ）を参照して、通信制御部１４，２３は、グループＡに属する災害関連情報を、さらに細かく分かれたグループＡ１とグループＡ２とに分類する。
【０１１６】
グループＡ１には、災害関連情報のうち、たとえば、災害が発生したエリア（以下、「被災地」と称する）に位置する無線端末装置２０２が送受信する情報、および、被災地ではないエリア（以下、「非被災地」と称する）に位置する特殊な無線端末装置２０２（以下、「特殊端末」と称する）が送受信する情報が属する。なお、特殊端末２０２とは、たとえば、政府関係者の無線端末装置、警察または消防に関係する者の無線端末装置、医療関係者の無線端末装置、または、自衛隊関係者の無線端末装置などである。
【０１１７】
また、グループＡ２には、災害関連情報のうち、たとえば、特殊端末２０２以外の無線端末装置２０２（以下、「一般端末」と称する）であって、非被災地に位置する無線端末装置２０２が送受信する情報が属する。
【０１１８】
そして、通信制御部１４，２３は、グループＡ１、グループＡ２、グループＢの順で高い優先度を設定する。
【０１１９】
そして、通信制御部１４は、設定した優先度に従って情報の送信または受信が行われるように、情報処理部１３の制御を行う。また、通信制御部２３は、設定した優先度に従って情報の送信または受信が行われるように、通信部２１の制御を行う。
【０１２０】
（設定パターン３）
また、通信制御部１４，２３は、図４（ｂ）に示す設定パターン２に従った情報の分類および優先度の設定を行った後、通信回線の輻輳の度合いが大きくなったか否かを判断する。そして、通信制御部１４，２３は、通信回線の輻輳の度合いが大きくなったと判断した場合、グループＡ１に属する災害関連情報を、さらに細かく分かれた複数のグループに分類する。
【０１２１】
すなわち、図４（ｃ）を参照して、通信制御部１４，２３は、グループＡ１に属する情報を、さらに細かく分かれたグループＡ１１と、グループＡ１２と、グループＡ１３とに分類する。
【０１２２】
グループＡ１１には、たとえば、被災地に位置する特殊端末２０２が送受信する情報、危険物または毒物に関する情報、および、非被災地に位置する特殊端末２０２が送受信する情報が属する。また、グループＡ１２には、たとえば、被災地における危険な場所に位置する一般端末２０２が送受信する情報、および、被災地における安全な場所に位置する一般端末２０２が受信する情報が属する。また、グループＡ１３には、たとえば、被災地における安全な場所にいる一般端末２０２が送信する情報が属する。
【０１２３】
そして、通信制御部１４，２３は、グループＡ１１、グループＡ１２、グループＡ１３、グループＡ２、グループＢの順で高い優先度を設定する。
【０１２４】
そして、通信制御部１４は、設定した優先度に従って情報の送信または受信が行われるように、情報処理部１３の制御を行う。また、通信制御部２３は、設定した優先度に従って情報の送信または受信が行われるように、通信部２１の制御を行う。
【０１２５】
なお、上記のように、被災地における安全な場所に位置する一般端末２０２が送信する情報を、３番目に高い優先度が設定されるグループＡ１３に分類するのに対して、被災地における安全な場所に位置する一般端末２０２が受信する情報を、２番目に高い優先度が設定されるグループＡ１２に分類することにより、当該一般端末２０２が他者の安否情報を受信することができる確率を高めることができる。
【０１２６】
また、通信制御部１４，２３は、２以上のグループに重複して属する情報については、優先度の高いグループに属するものとして送信または受信が行われるように制御する。たとえば、危険物または毒物に関連する情報であって、被災地における危険な場所に位置する一般端末２０２が受信する情報は、グループＡ１１に属する情報として送信または受信される。
【０１２７】
また、上記の設定パターン１から設定パターン３は一例であり、通信制御部１４，２３は、他の設定パターンに従って情報の分類および優先度の設定を行っても良い。
【０１２８】
さらに、通信制御部１４，２３は、優先度の低いグループに属する情報に対しては、送信または受信が行われないように情報処理部１３または通信部２１を制御することが可能である。
【０１２９】
具体的には、通信制御部１４，２３は、グループＢに属する情報のうち、情報の送信元、情報の送信先または情報の通信容量の大きさ等に基づいて緊急性の低い情報を推定することができる。そして、通信制御部１４，２３は、緊急性が低い情報として推定した情報と同一の情報が繰り返し送信または受信されている場合、当該情報の送信または受信が行われないように情報処理部１３または通信部２１を制御することができる。
【０１３０】
また、通信制御部１４，２３は、このように、緊急性の低い情報の送信または受信が行われないように情報処理部１３または通信部２１を制御する場合、当該情報の送信元である無線端末装置２０２へ、通信を控える旨の通知等を予め送信しておくことができる。
【０１３１】
［動作］
次に、本発明の実施の形態に係る通信システム３０１の動作について説明する。通信システム３０１における各装置は、シーケンス図またはフロー図の各ステップの一部または全部を含むプログラムを図示しないメモリから読み出して実行する。これらのプログラムは、外部からインストールすることができる。このインストールされるプログラムは、たとえば記録媒体に格納された状態で流通する。
【０１３２】
（端末情報の送信動作）
図５は、本発明の実施の形態に係る通信システムによる端末情報の送信動作の手順を定めたシーケンス図である。
【０１３３】
図５を参照して、まず、無線基地局装置１０１は、災害管理システム等から災害情報を時刻ｔ１に受信すると（ステップＳ１１）、時刻ｔ１から３０分前などの所定時間遡った時刻ｔ０から時刻ｔ１までの間に記憶部１８に保存された無線端末装置２０２の通信履歴および位置情報を用いて、無線端末装置２０２の端末情報を生成する（ステップＳ１２）。
【０１３４】
次に、無線基地局装置１０１は、生成した端末情報を、ネットワーク１５１を介して情報配信装置１０４へ送信する（ステップＳ１３）。そして、情報配信装置１０４は、受信した端末情報の送信先である無線端末装置２０２を特定し、送信先として特定した無線端末装置２０２へ、端末情報をネットワーク１５１および無線基地局装置１０１経由で送信する。これにより、被災地に位置する無線端末装置２０２の端末情報が、他の無線端末装置２０２へ送信される。
【０１３５】
次に、災害情報を受信した時刻ｔ１から１０分間などの所定時間が経過したタイミングを時刻ｔ２として、無線基地局装置１０１は、時刻ｔ１から時刻ｔ２までの間に記憶部１８に保存された無線端末装置２０２の通信履歴および位置情報を用いて、無線端末装置２０２の端末情報を生成する（ステップＳ１４）。
【０１３６】
次に、無線基地局装置１０１は、ステップＳ１３と同様に、生成した端末情報を、ネットワーク１５１を介して情報配信装置１０４へ送信する（ステップＳ１５）。そして、情報配信装置１０４は、受信した端末情報の送信先である無線端末装置２０２を特定し、特定した無線端末装置２０２へ端末情報を送信する。
【０１３７】
次に、時刻ｔ２から１０分間などの所定時間が経過したタイミングを時刻ｔ３として、無線基地局装置１０１は、時刻ｔ２から時刻ｔ３までの間に記憶部１８に保存された無線端末装置２０２の通信履歴および位置情報を用いて、無線端末装置２０２の端末情報を生成する（ステップＳ１６）。
【０１３８】
次に、無線基地局装置１０１は、ステップＳ１３およびステップＳ１５と同様に、生成した端末情報を、ネットワーク１５１を介して情報配信装置１０４へ送信する（ステップＳ１７）。そして、情報配信装置１０４は、受信した端末情報の送信先である無線端末装置２０２を特定し、特定した無線端末装置２０２へ端末情報を送信する。
【０１３９】
次に、時刻ｔ３から１０分間などの所定時間が経過したタイミングを時刻ｔ４として、無線基地局装置１０１が時刻ｔ３から時刻ｔ４までの間に端末情報の配信終了指示を受信した場合（ステップＳ１８）、無線基地局装置１０１は、端末情報の生成を終了する。
【０１４０】
このように、無線基地局装置１０１は、端末情報の配信終了指示を受信するまでの間、所定時間が経過するたびに端末情報を生成して送信する。
【０１４１】
（エリア情報の送信動作）
図６は、本発明の実施の形態に係る通信システムによるエリア情報の送信動作の手順を定めたシーケンス図である。
【０１４２】
図６を参照して、まず、無線基地局装置１０１は、災害管理システム等から災害情報を受信すると、受信した災害情報をデータベース管理装置１０２へ送信する（ステップＳ２１）。
【０１４３】
次に、データベース管理装置１０２は、無線基地局装置１０１から災害情報を受信すると、ローカルデータベース１０３に記憶されているエリア情報の取得およびエリア情報の配信要求の生成を行う（ステップＳ２２）。
【０１４４】
次に、データベース管理装置１０２は、取得したエリア情報および生成した配信要求を無線基地局装置１０１へ送信する（ステップＳ２３）。そして、無線基地局装置１０１は、データベース管理装置１０２からエリア情報および配信要求を受信すると、受信したエリア情報を配下の各無線端末装置２０２へ送信する（ステップＳ２４）。これにより、被災地に位置する無線端末装置２０２の利用者は、受信されたエリア情報を確認することにより、避難に適した場所等を把握することができる。
【０１４５】
次に、データベース管理装置１０２は、ローカルデータベース１０３に記憶されているエリア情報が更新されたか否かを確認し（ステップＳ２５）、更新されていない場合（ステップＳ２５において「Ｎｏ」）、エリア情報の送信は行わず、エリア情報が更新されたか否かの確認を繰り返す。
【０１４６】
一方、データベース管理装置１０２は、エリア情報が更新された場合（ステップＳ２５において「Ｙｅｓ」）、更新後のエリア情報の取得および配信要求の生成を行う（ステップＳ２６）。
【０１４７】
次に、データベース管理装置１０２は、ステップＳ２３と同様に、取得したエリア情報および生成した配信要求を無線基地局装置１０１へ送信する（ステップＳ２７）。そして、無線基地局装置１０１は、データベース管理装置１０２からエリア情報および配信要求を受信すると、受信したエリア情報を配下の各無線端末装置２０２へ送信する（ステップＳ２８）。
【０１４８】
そして、データベース管理装置１０２は、エリア情報の配信終了指示を受信するまでの間は、エリア情報が更新されたか否かの確認と、エリア情報が更新された場合には更新後のエリア情報の取得および配信要求の生成と、これらエリア情報および配信要求の送信とを繰り返す。そして、データベース管理装置１０２は、エリア情報の配信終了指示を受信すると（ステップＳ２９）、エリア情報の取得および配信要求の生成を終了する。
【０１４９】
（通信制御動作）
図７は、本発明の実施の形態に係る通信システムの無線基地局装置における通信制御部および情報配信装置における通信制御部による、優先度の設定および情報の送受信の制御の動作手順を定めたフロー図である。
【０１５０】
図４および図７を参照して、まず、無線基地局装置１０１の通信制御部１４および情報配信装置１０４の通信制御部２３は、図４（ａ）に示す設定パターン１に従って、複数種類の情報をグループＡとグループＢとに分類し、グループＡに対してグループＢよりも高い優先度を設定する。そして、通信制御部１４，２３は、優先度の高いグループＡに属する災害関連報が、グループＢに属するその他の情報よりも優先して送信または受信が行われるように、無線基地局装置１０１の情報処理部１３および情報配信装置１０４の通信部２１をそれぞれ制御する（ステップＳ３１）。
【０１５１】
次に、通信制御部１４，２３は、設定パターン１に従った情報の分類および優先度の設定を行った後、通信回線の輻輳の度合いが大きくなったか否かを判断する（ステップＳ３２）。そして、通信制御部１４，２３は、輻輳の度合いが大きくなってはいないと判断した場合（ステップＳ３２において「Ｎｏ」）、ステップＳ３１において行った、設定パターン１に従った無線基地局装置１０１の情報処理部１３および情報配信装置１０４の通信部２１の制御をそれぞれ継続する。
【０１５２】
一方、通信制御部１４，２３は、輻輳の度合いが大きくなったと判断した場合（ステップＳ３２において「Ｙｅｓ」）、図４（ｂ）に示す設定パターン２に従って、グループＡに属する情報を、グループＡ１とグループＡ２とに分類し、グループＡ１、グループＡ２、グループＢの順で高い優先度を設定する。そして、通信制御部１４，２３は、優先度の高いグループに属する情報から優先して送信または受信が行われるように、無線基地局装置１０１の情報処理部１３および情報配信装置１０４の通信部２１をそれぞれ制御する（ステップＳ３３）。
【０１５３】
次に、通信制御部１４，２３は、設定パターン２に従った情報の分類および優先度の設定を行った後、通信回線の輻輳の度合いが大きくなったか否かを判断する（ステップＳ３４）。そして、通信制御部１４，２３は、輻輳の度合いが大きくなってはいないと判断した場合（ステップＳ３４において「Ｎｏ」）、ステップＳ３３において行った、設定パターン２に従った無線基地局装置１０１の情報処理部１３および情報配信装置１０４の通信部２１の制御をそれぞれ継続する。
【０１５４】
一方、通信制御部１４，２３は、輻輳の度合いが大きくなったと判断した場合（ステップＳ３４において「Ｙｅｓ」）、図４（ｃ）に示す設定パターン３に従って、グループＡ１に属する情報を、グループＡ１１と、グループＡ１２と、グループＡ１３とに分類し、グループＡ１１、グループＡ１２、グループＡ１３、グループＡ２、グループＢの順で高い優先度を設定する。そして、通信制御部１４，２３は、優先度の高いグループに属する情報から優先して送信または受信が行われるように、無線基地局装置１０１の情報処理部１３および情報配信装置１０４の通信部２１を制御する（ステップＳ３５）。
【０１５５】
そして、通信制御部１４，２３は、たとえば、災害管理システム等から端末情報の配信終了指示を受信するまでの間、ステップＳ３５において行った、設定パターン３に従った無線基地局装置１０１の情報処理部１３および情報配信装置１０４の通信部２１の制御をそれぞれ継続する。そして、通信制御部１４，２３は、配信終了指示を受信した場合、無線基地局装置１０１の情報処理部１３および情報配信装置１０４の通信部２１の制御を終了する。
【０１５６】
なお、通信制御部１４，２３は、設定パターン１または設定パターン２に従った制御を行っている際に災害管理システム等から端末情報の配信終了指示が送信された場合も同様に、無線基地局装置１０１の情報処理部１３および情報配信装置１０４の通信部２１の制御を終了する。
【０１５７】
ところで、上述した特許文献１に記載の情報通信システムでは、安否情報として相手に送信される情報は予め指示された避難場所等を示す情報であり、端末装置の所有者が実際にこの避難場所に避難しているか否かを示す情報は相手に送信されない。このため、当該相手は、端末装置の所有者の実際の行動を知ることができない虞がある。
【０１５８】
一方、端末装置の所有者が自身の行動を端末装置に入力して安否情報として相手に送信する場合、災害発生から安否情報の送信までに時間がかかり、その間に当該相手が安否状況の確認のための電話等をかける可能性が高くなる。このため、通信回線の輻輳を招き、安否情報の送信自体ができない虞がある。
【０１５９】
これに対して、本発明の実施の形態に係る通信システム３０１の無線基地局装置１０１では、通信履歴取得部１６が、無線端末装置２０２の通信履歴を取得し、位置情報取得部１７が、無線端末装置２０２の位置情報を取得する。また、端末情報送信部１５が、災害が発生すると、通信履歴取得部１６により取得された通信履歴および位置情報取得部１７により取得された位置情報のうち少なくとも一方を含む端末情報を、複数の無線基地局装置２０２との間で情報の送受信が可能な情報配信装置１０４へ送信する。
【０１６０】
このように、災害が発生すると、無線基地局装置１０１から端末情報が自動的に送信される構成により、利用者が自身の行動を無線端末装置２０２に入力して送信するよりも早く、当該利用者の実際の行動を示す情報を、情報配信装置１０４および無線基地局装置１０１経由で他者へ通知することができる。また、災害発生後すぐ、すなわち災害発生による通信回線の輻輳が生じるよりも前に端末情報が送信される可能性が高いため、通信回線の輻輳の影響を受けることなく端末情報を良好に送信できる確率を高めることができ、かつ、通信回線の輻輳を抑制することができる。従って、災害時に有用な情報を配信することができ、かつ、通信回線の輻輳を抑制することができる。
【０１６１】
また、利用者が自身の行動を無線端末装置２０２に入力して送信する必要がないため、当該利用者が無線端末装置２０２を操作できない状況であっても、当該利用者の実際の行動を示す情報を他者へ通知することができる。
【０１６２】
また、本発明の実施の形態に係る通信システム３０１の無線基地局装置１０１では、記憶部１８が、通信履歴取得部１６により取得された通信履歴および位置情報取得部１７により取得された位置情報を記憶する。また、端末情報送信部１５は、記憶部１８に記憶されている通信履歴および位置情報を用いて、災害発生タイミングから所定時間遡ったタイミングから、当該災害発生タイミングまでの間の端末情報を送信する。
【０１６３】
このように、予め記憶されている情報を用いた端末情報が送信される構成により、災害発生後すぐに端末情報の送信を行うことができ、通信回線の輻輳を一層抑制することができる。また、災害発生後に無線端末装置２０２が故障した場合など無線端末装置２０２の通信履歴および位置情報を取得できない状況であっても、災害発生前の利用者の居場所など、利用者の安否を知るための有用な情報を他者へ通知することができる。
【０１６４】
また、本発明の実施の形態に係る通信システム３０１の無線基地局装置１０１では、通信履歴取得部１６は、端末情報が送信された後、新たに通信履歴を取得する。また、位置情報取得部１７は、端末情報が送信された後、新たに位置情報を取得する。また、端末情報送信部１５は、通信履歴取得部１６により新たに取得された通信履歴、および、位置情報取得部１７により新たに取得された位置情報のうち少なくとも一方を含む端末情報を情報配信装置１０４へ送信する。
【０１６５】
このような構成により、災害発生後の利用者の移動先など、利用者の行動に基づく最新の情報を他者へ通知することができる。また、異なる時刻の端末情報が複数回送信されることにより、利用者の行動に関する時系列的な情報を他者へ通知することができる。
【０１６６】
また、本発明の実施の形態に係る通信システム３０１の無線基地局装置１０１は、情報配信装置１０４とネットワーク１５１を介して接続され、かつ、自己が位置するエリアにおける災害に関するエリア情報を記憶するローカルデータベース１０３と接続されている。また、無線基地局装置１０１では、エリア情報送信部１９が、災害が発生すると、ローカルデータベース１０３に記憶されているエリア情報を取得し、取得したエリア情報を無線端末装置２０２へ送信する。
【０１６７】
このように、被災地におけるエリア情報が自動的に送信されることにより、利用者が自らエリア情報を取得するための操作を行うよりも早く、安全な避難場所等を示す情報を当該利用者へ提供することができる。
【０１６８】
また、上記のように、無線基地局装置１０１は、ネットワーク１５１を介することなく接続されたローカルデータベース１０３からエリア情報を取得して、取得したエリア情報を無線端末装置２０２へ送信する構成であるため、ネットワーク１５１を経由する通信回線の輻輳の影響を受けることなくエリア情報を良好に送信することができ、かつ、ネットワーク１５１を経由する通信回線の輻輳を一層抑制することができる。
【０１６９】
また、本発明の実施の形態に係る通信システム３０１の無線基地局装置１０１では、エリア情報送信部１９は、エリア情報が更新される毎に、更新後のエリア情報を無線端末装置２０２へ送信する。
【０１７０】
このような構成により、最新のエリア情報を利用者へ提供することができるため、利用者が災害状況に応じてより安全な避難場所へ移動するなどの適切な行動を選択することができる。
【０１７１】
また、本発明の実施の形態に係る通信システム３０１の無線基地局装置１０１では、通信制御部１４が、自己の無線基地局装置１０１が送信または受信する複数種類の情報を複数のグループに分類し、分類したグループ毎に優先度を設定し、優先度の高いグループに属する情報から優先的に送信または受信が行われるような制御を行う。
【０１７２】
このような構成により、必要性の高い情報が確実に通知される確率を高めることができる。
【０１７３】
また、本発明の実施の形態に係る通信システム３０１の無線基地局装置１０１では、通信制御部１４は、上記制御を行った後に、自己の無線基地局装置１０１を介する通信回線の輻輳の度合いが大きくなった場合、自己の無線基地局装置１０１が送信または受信する複数種類の情報を、上記制御における分類と比べてさらに細かく分かれた複数のグループに分類し、分類したグループ毎に優先度を新たに設定し、優先度の高いグループに属する情報から優先的に送信または受信が行われるような制御を行う。
【０１７４】
このような構成により、輻輳の度合いが悪化している場合であっても、情報をより細かく分類して優先度を設定することにより、必要性の高い情報が確実に通知される確率を高めることができる。
【０１７５】
また、本発明の実施の形態に係る通信システム３０１の情報配信装置１０４では、送信先特定部２６が、端末情報の送信元である無線端末装置と、端末情報の送信先である無線端末装置との対応関係を示す送信先情報に基づいて、受信部２４が受信した端末情報の送信先の無線端末装置２０２を特定する。また、送信部２５が、送信先特定部２６により特定された無線端末装置２０２と通信可能な無線基地局装置１０１を経由して、特定された上記無線端末装置２０２へ端末情報の一部または全部を送信する。
【０１７６】
このように、予め登録された無線端末装置２０２へ端末情報の一部または全部が送信される構成により、端末情報の不要な送信を防ぎ、通信回線の輻輳を一層抑制することができる。
【０１７７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１７８】
１１  無線受信部
１２  無線送信部
１３  情報処理部
１４  通信制御部
１５  端末情報送信部
１６  通信履歴取得部
１７  位置情報取得部
１８  記憶部
１９  エリア情報送信部
２１  通信部
２２  情報処理部
２３  通信制御部
２４  受信部
２５  送信部
２６  送信先特定部
２７  送信先記憶部
１０１  無線基地局装置
１０２  データベース管理装置
１０３  ローカルデータベース（ローカル記憶装置）
１０４  情報配信装置（通信装置）
１５１  ネットワーク
２０２  無線端末装置
３０１  通信システム
【図１】
2015019218.tif 000003
【図２】
2015019218.tif 000004
【図３】
2015019218.tif 000005
【図４】
2015019218.tif 000006
【図５】
2015019218.tif 000007
【図６】
2015019218.tif 000008
【図７】
2015019218.tif 000009